(57)【要約】【課題】正しい姿勢を維持しやすいリュックサックなどの背負いかばんを提供する。【解決手段】物品を収納する収納部本体２と、この収納部本体２の上部から下部に掛け渡された二本の肩ベルト３と、前記収納部本体２の装着者側外側面20に設けられ、装着者側に左右横長状に隆起する隆起部４と、前記収納部本体２の下部左右から延びる腰ベルト５と、を備え、前記隆起部４は、その先端部40が装着者側外側面20の下部に位置するとともに、弾性を有する弾性部材41によって形成されている背負いかばん１とした。ここで、弾性部材41は、左右方向に垂直な断面が略半円形状、略蒲鉾形状または略三角形状とすることができる。また、二本の肩ベルト３同士を中間位置で連結する胸ベルト６を備えた構成とすることも好ましい。【選択図】図１
2020018822.tif 000002
【特許請求の範囲】
【請求項１】
物品を収納する収納部本体と、
この収納部本体の上部から下部に掛け渡された二本の肩ベルトと、
前記収納部本体の装着者側外側面に設けられ、装着者側に左右横長状に隆起する隆起部と、
前記収納部本体の下部左右から延びる腰ベルトと、を備え、
前記隆起部は、その先端部が装着者側外側面の下部に位置するとともに、弾性を有する弾性部材によって形成されている、  
背負いかばん。
【請求項２】
隆起部の隆起寸法が３〜１０ｃｍである、
請求項１に記載の背負いかばん。
【請求項３】
収納部本体の内側の装着者側内側壁に取り付けられ、内部に書籍などの物品を収納する内ポケットと、
この内ポケットに収納された物品を前記内ポケットの外側から拘束する拘束手段と、を備えている、
請求項１又は２に記載の背負いかばん。
【請求項４】
二本の肩ベルト同士を中間位置で連結する胸ベルトを備え、
この胸ベルトは、長さ調節機構を備えている、
請求項１〜３のいずれか１項に記載の背負いかばん。
【請求項５】
弾性部材は、左右方向に垂直な断面が略半円形状又は略蒲鉾形状である、
請求項１〜４のいずれか１項に記載の背負いかばん。
【請求項６】
弾性部材は、左右方向に垂直な断面が略三角形状である、
請求項１〜４のいずれか１項に記載の背負いかばん。
【請求項７】
弾性部材が発泡ウレタン製である、
請求項１〜６のいずれか１項に記載の背負いかばん。
【請求項８】
背負いかばんが通学用のリュックサックである、
請求項１〜７のいずれか１項に記載の背負いかばん。
【請求項９】
背負いかばんがランドセルである、
請求項１〜７のいずれか１項に記載の背負いかばん。
【発明の詳細な説明】
【技術分野】
【０００１】
本発明は、リュックサック、ナップザック及びランドセルなどの背負いかばんに関する。
【背景技術】
【０００２】
リュックサックなどの背負いかばんは、両肩にかけたベルトで重量を支えるため負担が片方の肩に偏りにくいという特徴がある。そのため姿勢バランスを維持しやすく、また両手が自由に使えるなど、体に優しく機能的なことなどから幅広く使用されている。
【０００３】
実際、肩掛けかばん（ショルダーバッグ）からリュックサックに変えたところ、姿勢が良くなり、腰痛や肩こりが改善されたという例がある。
【０００４】
しかしながら、リュックサックなどの背負いかばんは、背負い方によっては却って姿勢に悪影響を及ぼす場合があった。例えば、肩ベルトを長くして臀部の辺りに収納部がくるように背負ってしまうと、荷物の入った収納部が体から後ろに離れやすくなるため、これを安定させようと猫背の姿勢になってしまう場合があった。
【０００５】
ここで、下記特許文献１には、猫背などを矯正するベルト付きのリュックサックが記載されている。
【先行技術文献】
【特許文献】
【０００６】
【特許文献１】実登３２１４４４４号公報
【発明の概要】
【発明が解決しようとする課題】
【０００７】
本発明は、上述の事柄に留意してなされたものであって、正しい姿勢を維持しやすい背負いかばんを提供するものである。
【課題を解決するための手段】
【０００８】
上記課題を解決するために、本発明の背負いかばんは、物品を収納する収納部本体と、この収納部本体の上部から下部に掛け渡された二本の肩ベルトと、前記収納部本体の装着者側外側面に設けられ、装着者側に左右横長状に隆起する隆起部と、前記収納部本体の下部左右から延びる腰ベルトと、を備え、前記隆起部は、その先端部が装着者側外側面の下部に位置するとともに、弾性を有する弾性部材によって形成されている構成とした。ここで「背負いかばん」には、リュックサックだけでなく、ナップザック及びランドセルなども含む。
【０００９】
この背負いかばんは、腰ベルトを締めることによって、左右横長状に隆起する隆起部が装着者の腰の辺りに圧接する。すなわち、背後から腰付近を押されるような形になるため、背筋が伸びて正しい姿勢を維持しやすい。隆起部が弾性を有する弾性部材によって形成されているため、装着者の腰の辺りにフィットしやすい。また、隆起部が左右横長状であるため、隆起部の上方において背中との間に隙間が生じやすくなって蒸れにくくなる。
弾性部材は、収納部本体の装着者側外側面に直接取り付けて必要に応じてカバーで覆ったり、収納部本体の装着者側外側面に設けた収納ポケットに入れて取り付けたり、弾性部材を袋体に入れてこの袋体ごと収納部本体の装着者側外側面に取り付けたりすることなどが可能である。このような手段で隆起部を形成することができる。
【００１０】
ここで、隆起部の隆起寸法を３〜１０ｃｍとすることが、正しい姿勢を保持する観点と装着感の観点から両者のバランスがとれて好ましい。隆起部の隆起寸法は、より好ましくは４〜７ｃｍである。
【００１１】
また、収納部本体の内側の装着者側内側壁に取り付けられ、内部に書籍などの物品を収納する内ポケットと、この内ポケットに収納された物品を前記内ポケットの外側から拘束する拘束手段と、を備えている構成とすることができる。
【００１２】
この背負いかばんは、書籍などの物品を、装着者側内側壁に取り付けられた内ポケットに収納することができ、装着者に近い位置で書籍などの物品が拘束されることから、より一層、背負いかばんの重量を軽く感じやすくなる。
【００１３】
また、二本の肩ベルト同士を中間位置で連結する胸ベルトを備え、この胸ベルトは、長さ調節機構を備えている構成とすることもできる。
【００１４】
腰ベルトを締めて隆起部が装着者の腰の辺りに圧接した状態で胸ベルトを締めると、背負いかばんが若干上に上がるとともに装着者の肩から背中にかけて密着する。これによって、より一層、正しい姿勢を維持しやすくなるとともに、背負いかばん（収納物が入っていることが多い）の重量を軽く感じやすくなる。
【００１５】
ここで、弾性部材の形状は、左右方向に垂直な断面が略半円形状又は略蒲鉾形状としたり、左右方向に垂直な断面が略三角形状としたりすることができる。弾性部材の材質としては発泡ウレタンが好ましい。
【００１６】
弾性部材をこのような形状とすることで、装着者の腰の辺りによりフィットしやすくなる。
【００１７】
また、弾性部材が取り外し自在に構成されていることもできる。例えば、収納部本体の装着者側外側面の下部に弾性部材を出し入れ自在な収納ポケットを設け、ここに弾性部材を入れることができる。
【００１８】
この背負いかばんは、弾性部材の交換が容易である。また、装着者の体型などに合わせて使用する弾性部材の堅さや形状などを選択することが可能となる。
【００１９】
また、本発明は背負いかばんの中でも通学用のリュックサックに対して好適に実施できる。さらに、本発明は背負いかばんの中でもランドセルに対して好適に実施できる。
【発明の効果】
【００２０】
本発明により、正しい姿勢を維持しやすい背負いかばんを提供することができる。
【図面の簡単な説明】
【００２１】
【図１】背負いかばんの背面図（装着者側から見た図）である。
【図２】背負いかばんの右側面図およびＰ部の拡大断面図である。
【図３】図２のＡ-Ａ線に沿う断面図である。
【図４】背負いかばんを装着した状態を装着者の正面から見た図である。
【図５】背負いかばんを装着した状態を装着者の側面から見た図である。
【図６】別例の背負いかばんの背面図（装着者側から見た図）である。
【図７】別例の背負いかばんの右側面図である。
【図８】(a)図１および図２の隆起部に用いられている弾性部材の背面図（装着者側から見た図）と、(b)図６および図７の隆起部に用いられている弾性部材の背面図である。
【図９】背負いかばん（ランドセル）の背面図（装着者側から見た図）である。
【図１０】背負いかばん（ランドセル）の右側面図およびＰ部の拡大断面図である。
【図１１】図10のＡ-Ａ線に沿う断面図である。
【図１２】背負いかばん（ランドセル）を装着した状態を装着者の正面から見た図である。
【図１３】背負いかばん（ランドセル）を装着した状態を装着者の側面から見た図である。
【図１４】別例の背負いかばん（ランドセル）の背面図（装着者側から見た図）である。
【図１５】別例の背負いかばん（ランドセル）の右側面図である。
【図１６】(a)図９および図10の隆起部に用いられている弾性部材の背面図（装着者側から見た図）と、(b)図14および図15の隆起部に用いられている弾性部材の背面図である。
【発明を実施するための形態】
【００２２】
以下、図を用いて背負いかばんを例示説明する。図１〜図８の背負いかばん１は通学用のリュックサックを例示したものであり、図９〜図16の背負いかばん１’はランドセルを例示したものである。以降、通学用のリュックサックを例示した図１〜図８の背負いかばん１を用いて説明するが、ランドセルを例示した図９〜図16の背負いかばん１’も同様の説明であるため説明記載を省略する。すなわち、発明を実施するための形態の以降の説明において、図１を図９、図２を図10、図３を図11、図４を図12、図５を図13、図６を図14、図７を図15、図８を図16、背負いかばん１を背負いかばん１’に読み替えればランドセル（背負いかばん１’）の説明となる。
背負いかばん１は、収納部本体２と二本の肩ベルト３と隆起部４と腰ベルト５を備えており、隆起部４は、弾性を有する弾性部材41によって形成されている。また、本実施形態の背負いかばん１は胸ベルト６も備えている。さらに、本実施形態の背負いかばん１は内ポケット22と拘束手段23も備えている。
なお、図２、図３、図５、および図７では、説明の都合上、肩ベルト３、腰ベルト５、および胸ベルト６を省略してある。
以下、各構成要素について例示説明するが、本発明およびその構成要素は、以下の説明に限定されるものではない。
【００２３】
１．収納部本体
収納部本体２は、教科書や筆記用具などの物品（荷物）を収納するものであり、背負いかばん１の本体部分である。収納部本体２の材料や形状は特に制限されないが、例えば、通学用のリュックサックなどでは、軽量かつ丈夫なナイロン生地が用いられることがある。
【００２４】
２．肩ベルト
肩ベルト３は、収納部本体２の左右に二本あり、収納部本体２の上部から下部に掛け渡されている。肩ベルト３の材料も特に制限されないが、例えば、通学用のリュックサックなどでは、軽量かつ丈夫なナイロン生地やナイロンバンドが用いられることがある。肩ベルト３は、通常、長さ調節自在であり、本実施形態においても、図１などに例示するように、長さ調節機構31を備えている。
【００２５】
３．隆起部
隆起部４は、収納部本体２の装着者側外側面20に設けられる。そして、装着者側に向けて左右横長状に隆起する。左右横長状に隆起するとは、図１および図２などに例示するように、隆起部４の先端部40が左右横長状となっていることを示す。また、隆起部４は、その先端部40が装着者側外側面20の下部に位置する。本実施形態では、図１および図２などに例示するように、装着者側外側面20の上下方向の長さに対して装着者側外側面20の下端から１／４の範囲に隆起部４の先端部40が位置する。
そして、隆起部４は、弾性を有する弾性部材41によって形成されている。隆起部４の隆起寸法（最大隆起寸法）Ｌは３〜１０ｃｍであることが、正しい姿勢を保持する観点と装着感の観点から両者のバランスがとれて好ましい。本実施形態においては、図２などに例示するように、隆起部４の隆起寸法Ｌを概ね４ｃｍとしてある。
【００２６】
隆起部４を形成する弾性部材41としては、種々の形状のものを用いることができる。例えば、図２に例示するような左右方向に垂直な断面が略半円形状のものほか、略蒲鉾形状のものや、左右方向に垂直な断面が略三角形状のものも用いることができる。
【００２７】
図６および図７に例示する隆起部４も、収納部本体２の装着者側外側面20に設けられ、装着者側に左右横長状に隆起する。そして、隆起部４は、その先端部40が装着者側外側面20の下部に位置するとともに、弾性を有する弾性部材41によって形成されている。
しかし、図６および図７に例示する隆起部４は、装着者側から見て、装着者側外側面20の大きさよりも若干小さな矩形状である。また、左右方向に垂直な断面が略三角形状の弾性部材（図示せず）を用いている。この弾性部材は、左右方向に垂直な断面が、上下方向（図７における上下方向）に長尺で、断面の頂点（隆起部４の先端部40に相当する頂角、本実施形態では鈍角）が装着者側外側面20の下部位置に位置するように、上側底角が鋭角（本実施形態では１０〜２０度）で下側底角が上側底角よりも大きな鋭角の略三角形状の弾性部材を用いてある。
【００２８】
また、弾性部材41の材料は、ある程度の柔軟性と弾性があれば特に制限されないが、発泡樹脂であることが好ましく、発泡ウレタンであることが最も好ましい。
【００２９】
さらに、弾性部材41の隆起寸法（最大厚み）は、通常は、隆起部４の隆起寸法と概ね等しいか、これよりも若干小さくなる。弾性部材41の隆起寸法（最大厚み）は３〜１０ｃｍであることが、正しい姿勢を保持する観点と装着感の観点から両者のバランスがとれて好ましい。
【００３０】
本実施形態においては、図２などに例示するように、収納部本体２の装着者側外側面の下部に弾性部材41を置いて、これをカバー42で被覆し、隆起部４を形成してある。
【００３１】
弾性部材41は、収納部本体２の装着者側外側面20に直接取り付けて隆起部４を形成することもできる。例えば、弾性部材41を接着剤などで収納部本体２に直接取り付けることができる。
【００３２】
また、収納部本体２の装着者側外側面20に収納ポケット（図示せず）を設け、この収納ポケットに弾性部材41を収納して隆起部４を形成することもできる。このとき、収納ポケットにジッパーなどを設けて弾性部材41を出し入れ自在（取り外し自在）に構成してもよい。
【００３３】
さらに、弾性部材41を袋体（図示せず）に入れてこの袋体ごと収納部本体２の装着者側外側面20に取り付けて隆起部４を形成することもできる。このとき、袋体を接着や縫製によって収納部本体２に取り付けることができる。またこのとき、収納部本体２に袋体を着脱自在に取り付けることもできる。例えば、面テープやファスナーを用いることで着脱自在（取り外し自在）に取り付けることができる。
【００３４】
４．腰ベルト
腰ベルト５は、収納部本体２の下部左右から延びる。腰ベルト５は、収納部本体２の下部左右、隆起部４が装着者側に左右横長状に隆起する箇所の左右に相当する位置から延びることが好ましい。腰ベルト５の材料も特に制限されないが、肩ベルト３同様、軽量かつ丈夫なナイロン生地やナイロンバンドなどを用いることができる。腰ベルト５も、通常、長さ調節自在であり、本実施形態においても、図１などに例示するように、長さ調節機構51を備えている。なお、本実施形態では、腰ベルト５に設けた雄雌バックル57,58を係合することによって装着者の腰部に装着される。
【００３５】
５．胸ベルト
胸ベルト６は、二本の肩ベルト３同士を中間位置（通常は胸の前の位置）で連結するものである。胸ベルト６の材料も特に制限されないが、肩ベルト３同様、軽量かつ丈夫なナイロン生地やナイロンバンドなどを用いることができる。本実施形態では、胸ベルト６も長さ調節機構61を備えている。本実施形態では、胸ベルト６の高さ位置（肩ベルト３に対する高さ方向の位置）を調節可能としてある。なお、本実施形態では、胸ベルト６に設けた雄雌バックル67,68を係合することによって、二本の肩ベルト３同士が胸ベルト６を介して連結される。
【００３６】
６．内ポケット
内ポケット22について図３に例示する。内ポケット22は、内部に書籍などの物品を収納するためのものであり、収納部本体２の内側の装着者側内側壁21に取り付けられる。内ポケット22のサイズは、Ｂ５サイズの書籍が入るような大きさであることが好ましく、Ａ４サイズの書籍が入るような大きさであることがより好ましい。本実施形態では、多くの書籍などの物品が収納できるよう、マチ付きの内ポケット22としてある。
【００３７】
７．拘束手段
拘束手段23は、内ポケット22に収納された書籍などの物品を内ポケット22の外側（収納部本体２の内側となる）から拘束するものである。本実施形態では、図３に例示するように、収納部本体２内側の内ポケット22の左右位置に左右の拘束ベルト231,232を取り付けてある。そして、左右の拘束ベルト231,232には雄雌面テープを割り振って設けてある。このような構成とすれば、内ポケット22に物品を収納した状態で、左右の拘束ベルト231,232を引っ張って面テープを係合すれば、内ポケット22に収納された書籍などの物品を内ポケット22の外側から拘束することができる。なお、左右の拘束ベルト231,232に割り振って設けた雄雌面テープの代わりに、雄雌バックルを割り振って設けてもよい。
【００３８】
８．背負いかばんの使用方法
以下、背負いかばん１の使用方法について例示説明するが、本発明、その構成要素および使用方法は、以下の説明に限定されるものではない。
【００３９】
まず、二本の肩ベルト３をそれぞれ両肩に掛けて背負いかばん１を背中に位置させる。そして、隆起部４が腰の高さ付近に位置するように二本の肩ベルト３の長さを適宜調節する。
次に、隆起部４が腰の高さ付近に位置した状態で腰ベルト５を締めて、隆起部４を装着者の腰の辺りに圧接させる。隆起部４は弾性を有する弾性部材であるため、腰ベルト５を締めることで、図５に例示するように、装着者の腰の辺りに圧接した状態（図５では隆起部４が略蒲鉾形状に変形）となってフィットしやすくなる。
そして、隆起部４が装着者の腰の辺りに圧接した状態で、肩ベルト３の長さを適宜調節した後、胸ベルト６を締めて背負いかばん１を若干上に上げるとともに装着者の背中に密着させる。これによって、より一層、正しい姿勢を維持しやすくなるとともに、背負いかばん１の重量を軽く感じやすくなるのである。背負いかばん１を装着した状態を図５に例示する。
また、背負いかばん１を背中に位置させる前に、書籍などの物品を内ポケット22に入れ、拘束手段23を用いて内ポケット22に収納された物品を内ポケット22の外側から拘束しておくことができる。
【００４０】
以上、特定の実施形態を参照して本発明を例示説明したが、本発明は上記実施形態に限定されるものではなく、当該技術分野における熟練者等により、本出願の願書に添付された特許請求の範囲から逸脱することなく、種々の変更及び修正が可能である。
【００４１】
例えば、弾性部材41について、複数の弾性部材片を組み合わせて構成してもよい。図２に例示された弾性部材41について、図８(a)に例示するように、左右方向に複数個の薄手の弾性部材片410〜413を並べて構成することができる。また、図６および図７に例示された隆起部４を構成する弾性部材41についても、図８(ｂ)に例示するように、左右方向に複数個の薄手の弾性部材片414〜419を並べて構成することができる。
【符号の説明】
【００４２】
１    背負いかばん（通学用のリュックサック）
１’  背負いかばん（ランドセル）
２  収納部本体
20  装着者側外側面
21  装着者側内側壁
22  内ポケット
23  拘束手段
231,232  拘束ベルト
３  肩ベルト
31  長さ調節機構
４  隆起部
40  先端部
41  弾性部材
410〜419  弾性部材片
42  カバー
Ｌ  隆起部の隆起寸法
５  腰ベルト
51  長さ調節機構
57  雄バックル
58  雌バックル
６  胸ベルト
61  長さ調節機構
67  雄バックル
68  雌バックル
【図１】
2020018822.tif 000003
【図２】
2020018822.tif 000004
【図３】
2020018822.tif 000005
【図４】
2020018822.tif 000006
【図５】
2020018822.tif 000007
【図６】
2020018822.tif 000008
【図７】
2020018822.tif 000009
【図８】
2020018822.tif 000010
【図９】
2020018822.tif 000011
【図１０】
2020018822.tif 000012
【図１１】
2020018822.tif 000013
【図１２】
2020018822.tif 000014
【図１３】
2020018822.tif 000015
【図１４】
2020018822.tif 000016
【図１５】
2020018822.tif 000017
【図１６】
2020018822.tif 000018
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
物品を収納する収納部本体と、
この収納部本体の上部から下部に掛け渡された二本の肩ベルトと、
前記収納部本体の装着者側外側面に設けられ、装着者側に左右横長状に隆起する隆起部と、
前記収納部本体の下部左右から延びる腰ベルトと、を備え、
前記隆起部は、隆起寸法が３〜１０ｃｍであり、その先端部が装着者側外側面の下部に位置するとともに、弾性を有する弾性部材によって形成されており、
前記弾性部材は、発泡ウレタン製で、左右方向に垂直な断面が略半円形状、略蒲鉾形状または略三角形状である、
背負いかばん。
【請求項２】
収納部本体の内側の装着者側内側壁に取り付けられ、内部に書籍などの物品を収納する内ポケットと、
この内ポケットに収納された物品を前記内ポケットの外側から拘束する拘束手段と、を備えている、
請求項１に記載の背負いかばん。
【請求項３】
二本の肩ベルト同士を中間位置で連結する胸ベルトを備え、
この胸ベルトは、長さ調節機構を備えている、
請求項１又は２に記載の背負いかばん。
【請求項４】
背負いかばんが通学用のリュックサックである、
請求項１〜３のいずれか１項に記載の背負いかばん。
【請求項５】
背負いかばんがランドセルである、
請求項１〜３のいずれか１項に記載の背負いかばん。